(57)【要約】      （修正有）【課題】光コネクタの小型化を図る。【解決手段】光コネクタは、光ファイバの端末に装着された第一フェルール２５を内部に収容した第一ハウジング２０と、前記第一ハウジング２０に嵌合可能な第二ハウジング４０と、前記第一ハウジング２０に設けられ、前記第一ハウジング２０と前記第二ハウジング４０とが嵌合する際に、前記第二ハウジング４０のフード部４１に押圧されて前記第一ハウジング２０のハウジング本体２１における側壁に沿うように後方にスライドすることで前記第一フェルール２５の前方を遮る閉止位置から前記第一フェルール２５の前方から退避する開放位置に移動するシャッタ５０と、を備えている。【選択図】図３
2013250367.tif 000002
【特許請求の範囲】
【請求項１】
光接続部材を内部に収容した第一ハウジングと、
前記第一ハウジングに嵌合可能な第二ハウジングと、
前記第一ハウジングに設けられ、前記第一ハウジングと前記第二ハウジングとが嵌合する際に、前記第二ハウジングに押圧されて前記第一ハウジングの側壁に沿うように両ハウジングの嵌合方向の後方にスライドすることで前記光接続部材における前記嵌合方向の前方を遮る閉止位置から前記光接続部材おける前記嵌合方向の前方から退避する開放位置に移動するシャッタと、を備えた光コネクタ。
【請求項２】
前記第一ハウジングは、同第一ハウジングの側壁から前記嵌合方向と交差する方向に延びる支持曲面を有しており、
前記シャッタは、弾性変形可能に形成され、前記閉止位置に移動した際に、前記支持曲面に沿うように湾曲して前記支持曲面に支持される弾性部を備えている請求項１記載の光コネクタ。
【請求項３】
前記第二ハウジングは、前記第一ハウジングを内部に収容するフード部を備えており、
前記シャッタは、前記第一ハウジングと前記第二ハウジングとが嵌合する際に、前記フード部に押圧されて前記シャッタをスライドさせる被押圧部を備えている請求項１または請求項２記載の光コネクタ。
【請求項４】
前記第一ハウジングには、前記シャッタが閉止位置に至った際に、前記シャッタの前端部を収容する前側収容部が形成されている請求項１乃至請求項３の何れか一項に記載の光コネクタ。
【請求項５】
前記第一ハウジングの側壁には、前記シャッタが前記嵌合方向の後方にスライドして収容される後側収容部が形成されている請求項１乃至請求項４の何れか一項に記載の光コネクタ。
【請求項６】
前記シャッタは、前記第一ハウジングにおける幅方向両側に位置する両側壁から互いを付き合わせる方向に延びた形態で一対設けられている請求項１乃至請求項５の何れか一項に記載の光コネクタ。
【発明の詳細な説明】
【技術分野】
【０００１】
本発明は、シャッタを備えた光コネクタに関する。
【背景技術】
【０００２】
従来、光ファイバの端末に装着されたフェルールがハウジング内に収容され、光ファイバから出射される出射光を遮ると共に、フェルールが収容された部分に塵埃が浸入することを抑制するシャッタを備えた光コネクタとして、特許文献１記載のものが知られている。シャッタは平板状をなし、ハウジング内における光ファイバが収容された収容部の開口部に回動可能に組み付けられている。また、シャッタは、出射光の光路に進入して光路と略直交した状態となることで収容部の開口部を閉止する閉止位置と、出射光の光路から退避して光路と平行した状態となることで開口部を開放する開放位置との間を回動可能とされている。そして、シャッタは、ハウジングと相手側ハウジングとが嵌合する際に、相手側ハウジングによってシャッタの端部が嵌合方向の後方に押圧されることで開放位置に回動し、収容部を開放して出射光を相手側ハウジング側に通過させる。また、シャッタは、相手側ハウジングとハウジングとが離脱する際に、相手側ハウジングによる押圧状態が解除されて、シャッタに組み付けられたばね部材によって付勢されることで閉止位置に回動し、収容部を閉止して防塵すると共に、出射光を遮る。
【先行技術文献】
【特許文献】
【０００３】
【特許文献１】特開２００４−２４０１６２号公報
【発明の概要】
【発明が解決しようとする課題】
【０００４】
ところで、上記のような閉止位置と開放位置との間を回動するシャッタによると、シャッタが開放位置まで回動すると、収容部が嵌合方向に開放されてシャッタが嵌合方向に沿った配置となるため、ハウジング内においてシャッタを嵌合方向に沿った状態で収容するスペースが必要となり、ハウジングが嵌合方向に大きくなってしまう。
【０００５】
本発明は上記のような事情に基づいて完成されたものであって、光コネクタの小型化を図ることを目的とする。
【課題を解決するための手段】
【０００６】
上記の目的を達成するための手段として本発明の光コネクタは、光接続部材を内部に収容した第一ハウジングと、前記第一ハウジングに嵌合可能な第二ハウジングと、前記第一ハウジングに設けられ、前記第一ハウジングと前記第二ハウジングとが嵌合する際に、前記第二ハウジングに押圧されて前記第一ハウジングの側壁に沿うように両ハウジングの嵌合方向の後方にスライドすることで前記光接続部材における前記嵌合方向の前方を遮る閉止位置から前記光接続部材における前記嵌合方向から退避する開放位置に移動するシャッタと、を備えているところに特徴を有する。
このような構成の光コネクタによると、シャッタが第一ハウジングの側壁に沿うように嵌合方向の後方にスライドさせてシャッタを閉止位置から開放位置に移動させることができるので、第一ハウジングが嵌合方向に大きくなることを防止することができる。これにより、シャッタがハウジングに対して回動可能に組み付けられる場合に比べて、光コネクタを小型化することができる。
【０００７】
本発明の実施の態様として、以下の構成が好ましい。
前記第一ハウジングは、同第一ハウジングの側壁から前記嵌合方向と交差する方向に延びる支持曲面を有しており、前記シャッタは、弾性変形可能に形成され、前記閉止位置に移動した際に、前記支持曲面に沿うように湾曲して前記支持曲面に支持される弾性部を備えている構成としてもよい。
このような構成によると、閉止位置において、シャッタの弾性部が第一ハウジングの曲面に支持されて正規の位置に確実に配置されるので、閉止位置において、光接続部材の前方を確実に遮ることができる。すなわち、仮に弾性部がハウジングの曲面などに支持されず、弾性部が意に反した位置まで弾性変形して正規の位置に配置されない場合には、光接続部材から出射される出射光がシャッタと第一ハウジングとの間から漏れたり、シャッタと第一ハウジングとの隙間から塵埃が浸入したりする可能性があるところ、本発明によると、シャッタによって光が漏れたり、塵埃が浸入したりすることを確実に抑制することができる。
【０００８】
前記第二ハウジングは、前記第一ハウジングを内部に収容するフード部を備えており、前記シャッタは、前記第一ハウジングと前記第二ハウジングとが嵌合する際に、前記フード部に押圧されて前記シャッタをスライドさせる被押圧部を備えている構成としてもよい。
従来の光コネクタによると、ハウジングにシャッタを回動可能に組み付ける回動機構やシャッタを付勢するばね部材が必要であることから、部品点数が増加すると共に、シャッタの開閉構造が複雑化し、組立工数が増加することで光コネクタの生産コストが高くなってしてしまう。ところが、上記の構成によると、フード部によって被押圧部を押圧することで、シャッタを閉止位置から開放位置にスライドさせることができるので、部品点数を低減することができると共に、シャッタの開閉構造を簡素化することができる。これにより、光コネクタの生産コストを低減させることができる。
【０００９】
前記第一ハウジングには、前記シャッタが閉止位置に至った際に、前記シャッタの前端部を収容する前側収容部が形成されている構成としてもよい。
このような構成によると、シャッタが閉止位置に至った際に、シャッタの前端部を前側収容部に収容することで、シャッタの前端部から光が漏れたり、塵埃が浸入したりすることをさらに抑制することができる。
【００１０】
前記第一ハウジングの側壁には、前記シャッタが前記嵌合方向の後方にスライドして収容される後側収容部が形成されている構成としてもよい。
このような構成によると、開放位置へスライドするシャッタがハウジングの側壁における後側収容部に収容されることから、シャッタが嵌合方向と交差する方向に大型化することを抑制することができる。
【００１１】
前記シャッタは、前記第一ハウジングにおける幅方向両側に位置する両側壁から互いを付き合わせる方向に延びた形態で一対設けられている構成としてもよい。
このような構成によると、一対のシャッタが嵌合方向にずれて設けられる場合に比べて、シャッタが配される嵌合方向のスペースを最も小さくすることができる。
【発明の効果】
【００１２】
本発明によれば、光コネクタの小型化を図ることができる。
【図面の簡単な説明】
【００１３】
【図１】第一ハウジングと第二ハウジングとが嵌合する前の状態を示す断面図
【図２】第一ハウジングのハウジング本体が第二ハウジングのフード部内に浅く嵌合された状態を示す断面図
【図３】第一ハウジングと第二ハウジングとが嵌合する過程を示す断面図であって、シャッタの被押圧部がフード部の押圧突起によって後方に押圧された状態を示す断面図
【図４】シャッタの被押圧部が弾性変形してフード部の押圧突起に乗り上げた状態を示す断面図
【図５】第一ハウジングと第二ハウジングとが正規嵌合した状態を示す断面図
【発明を実施するための形態】
【００１４】
＜実施形態１＞
本発明の実施形態１について図１乃至図５を参照して説明する。
本実施形態は、車両に搭載される光通信用の光コネクタ１０を例示しており、この光コネクタ１０は、互いに嵌合可能な第一ハウジング２０と第二ハウジング４０とを備えて構成されている。なお、以下の説明において、前後方向については両ハウジング２０，４０の嵌合方向を基準とし、各ハウジング２０，４０の嵌合面側を前方とする。
【００１５】
（第一ハウジング２０）
第一ハウジング２０は、合成樹脂製であって、図１に示すように、前後方向に長い略直方体状をなすハウジング本体２１と、ハウジング本体２１の後端部に形成された一対の突出壁２２，２２とを備えて構成されている。
【００１６】
ハウジング本体２１の内部には、前後方向に貫通する円孔形状のキャビティ２３が幅方向横並びに一対形成されている。一対のキャビティ２３，２３は、両キャビティ２３，２３間に形成された前後方向に延びる隔壁２４を中心に線対称な形状とされており、各キャビティ２３内には、第一フェルール（「光接続部材」の一例）２５がハウジング本体２１の後方から収容されている。
【００１７】
第一フェルール２５は、光コードＷの端末においてシースが皮剥されて露出した図示しない光ファイバの前端部に外嵌されて、接着剤などの公知の方法によって光ファイバに装着されている。また、第一フェルール２５は、前後方向に細長い形状をなしており、第一フェルール２５の前後方向略中央部には、全周に亘って張り出すフランジ部２５Ａが形成されている。そして、このフランジ部２５Ａがキャビティ２３内に設けられた図示しない保持機構によって保持されることで、第一フェルール２５がキャビティ２３内に抜止された状態で保持されている。また、第一フェルール２５が装着された光ファイバからは、出射光が出射されるようになっている。
【００１８】
一対の突出壁２２，２２は、ハウジング本体２１の幅方向両側に位置する側壁から幅方向外側に突出すると共に、ハウジング本体２１の後端位置よりも後方に突出した形態をなしている。
【００１９】
(第二ハウジング４０)
第二ハウジング４０は、合成樹脂製であって、前後方向に長い略直方体状をなしている。また、第二ハウジング４０は、第一ハウジング２０を内部に収容可能な前後方向に長いフード部４１と、フード部４１の奥壁４１Ａに形成された一対の筒部４２，４２とを備えて構成されている。
【００２０】
フード部４１は略矩形状に開口した形態をなしており、両ハウジング２０，４０の正規嵌合時に第一ハウジング２０を前方からほぼ完全に収容するように形成されている。また、フード部４１における幅方向両側に位置する開口縁部には、内側に向かって突出する一対の押圧突起４３，４３が形成されている。
【００２１】
一対の筒部４２，４２は円筒状をなし、フード部４１の奥壁４１Ａにおいて幅方向両側に並んで形成されている。また、各筒部４２は、フード部４１の奥壁４１Ａから前方に突出しており、各筒部４２の前後方向略中央部よりも後側の部分には、第二フェルール４４が後方からそれぞれ収容されている。第二フェルール４４は、第一ハウジング２０の第一フェルール２５と同様に、光コードＷの端末においてシースが皮剥されて露出した図示しない光ファイバの前端部に外嵌されて、接着剤などの公知の方法によって光ファイバに装着されている。また、第二フェルール４４も、前後方向に細長い形状をなしており、第二フェルール４４の前後方向略中央部には、全周に亘って張り出すフランジ部４４Ａが形成されている。そして、このフランジ部４４Ａが第二ハウジング４０に設けられた図示しない保持機構によって保持されることで、第二フェルール４４が筒部４２内に抜止された状態で保持されている。
【００２２】
また、各筒部４２は、両ハウジング２０，４０が正規嵌合して第一ハウジング２０がフード部４１内に収容されると、第一ハウジング２０のキャビティ２３の前側部分にそれぞれ収容され、各筒部４２内に第一ハウジング２０の第一フェルール２５がそれぞれ収容される。そして、第一フェルール２５は、第二フェルール４４の軸心と一致するように筒部４２内を案内され、第二フェルール４４の前端に突き合わされることで、第二フェルール４４と光学的に接続される。これにより、第一フェルール２５から出射された出射光が第二フェルール４４の装着された光ファイバに伝えられるようになっている。なお、本願明細書において図示省略しているが、例えばハウジング本体２１内において、第一フェルール２５がコイルばねなどの付勢部材によって前方に付勢されており、第一フェルール２５が第二フェルール４４に突き当たって当接位置が前後方向に調整されることで、第一フェルール２５と第二フェルール４４とが確実に接続されるようになっている。
【００２３】
さて、第一ハウジング２０は、前後方向（両ハウジング２０，４０の嵌合方向）にスライド可能な一対のシャッタ５０，５０と、一対のシャッタ５０，５０をそれぞれ内部に収容する一対のシャッタ収容部２６，２６を備えている。
【００２４】
（シャッタ収容部２６）
一対のシャッタ収容部２６，２６は、ハウジング本体２１の幅方向両側に位置する側壁２１Ａから隔壁２４に向かって凹んだ形態をなし、隔壁２４を中心に線対称な形状とされている。各シャッタ収容部２６，２６は、ハウジング本体２１内のキャビティ２３を幅方向にそれぞれ横断した形態とされており、各シャッタ収容部２６は、ハウジング本体２１の両側壁２１Ａにおいて前後方向に長く開口している。また、各シャッタ収容部２６は、ハウジング本体２１の図示しない天井壁とハウジング本体２１の底壁２１Ｂとの間に形成されており、各シャッタ収容部２６の天井壁（図示せず）と底壁２１Ｂとの間の高さ寸法(図中において紙面と直交する方向の寸法)は、キャビティ２３の内径よりも大きく形成されている。すなわち、キャビティ２３は、シャッタ収容部２６内に円孔状に開口しており、シャッタ収容部２６の内部空間とキャビティ２３の内部空間とは連通した状態となっている。また、各シャッタ収容部２６の前面２６Ａはハウジング本体２１の側壁２１Ａから隔壁２４まで幅方向に真っ直ぐ延びた面とされ、シャッタ収容部２６の後面は隔壁２４の前部から側壁２１Ａにおける前後方向略中央部の位置まで前側に張り出すように延びる弧状の支持曲面２６Ｂとされている。すなわち、支持曲面２６Ｂは、キャビティ２３内に収容された第一フェルール２５から出射される出射光の光路Ｌと交差する方向に延びた形態とされている。
【００２５】
（シャッタ５０）
一対のシャッタ５０，５０は、金属板材をプレス加工することにより形成されており、各シャッタ５０の高さ寸法(図中において紙面と直交する方向の寸法)は、シャッタ収容部２６の高さ寸法とほぼ同じ大きさに形成されている。また、各シャッタ５０は、前後方向に長い略矩形状の平板部５１と、弧状に屈曲する弾性部５２と、平板部５１と弾性部５２との間に設けられた被押圧部５３とを備えて構成されている。また、シャッタ５０は、図１に示すように、第一フェルール２５の前方に進入して光ファイバＷから出射される出射光の光路Ｌを遮る閉止位置と、図５に示すように、第一フェルール２５の前方から退避して出射光の光路Ｌを開放する開放位置との間をスライド可能とされている。
【００２６】
平板部５１は、同平板部５１の板面をハウジング本体２１の側壁２１Ａに沿わせるようにして配されており、平板部５１の後端部は、後方に延びた部分を幅方向外側に向かって僅かに折り返した形態とされている。一方、ハウジング本体２１と突出壁２２との間には、平板部５１を前方から収容可能な後側収容部２７が形成されている。後側収容部２７は第一ハウジング２０を前後方向に貫通して形成されており、後側収容部２７の幅寸法（ハウジング本体２１と突出壁２２との間の寸法）は、平板部５１の後端部の板厚方向の寸法よりも僅かに大きく設定されている。また、平板部５１は、後側収容部２７内において前後方向にスライド可能とされており、シャッタ５０が閉止位置に配されると、図１に示すように平板部５１の後端部のみが後側収容部２７に収容された状態となり、シャッタ５０が開放位置に配されると、図５に示すように、平板部５１のほぼ全てが後側収容部２７内に収容された状態となる。
【００２７】
被押圧部５３は、平板部５１の前端縁に一体に形成されている。被押圧部５３は、ハウジング本体２１における側壁２１Ａの位置から幅方向外側に向かって二等辺三角状に突出して形成されている。詳細には、各被押圧部５３がハウジング本体２１から離れるように斜め前方に延びて、その前端部がハウジング本体２１に向かって折り返されて斜め前方に延びた前側被押圧片５４を有した形態をなしている。そして、両被押圧部５３，５３の突出端５３Ａ，５３Ａ間の長さ寸法Ｄ１は、第二ハウジング４０のフード部４１における間口（両押圧突起４３，４３の突出端間）の寸法Ｄ２よりも大きくなるように設定されている。
【００２８】
また、被押圧部５３の突出端５３Ａ部分と被押圧部５３の付け根部分とは弾性変形可能とされており、突出端５３Ａ部分と付け根部分とが弾性変形して被押圧部５３の三角形状が前後方向に広がることで、被押圧部５３の突出寸法が小さくなるようになっている。そして、被押圧部５３の突出寸法が小さくなると、図４に示すように、両被押圧部５３，５３の突出端５３Ａ，５３Ａ間の長さ寸法が第二ハウジング４０のフード部４１における間口の寸法Ｄ２よりも僅かに小さくなるように設定されている。
【００２９】
被押圧部５３における前側被押圧片５４の高さ方向(図中において紙面と直交する方向)略中央部には、係合片５４Ａが前側被押圧片５４と一体に形成されている。この係合片５４Ａは、ハウジング本体２１側に向かってやや斜め後方に向かって延びて、その後端部が前方に向かって折り返された形態とされている。
【００３０】
一方、ハウジング本体２１の両側壁２１Ａにおける前後方向略中央部には、内側に向かって凹んだ形状の係合凹部２８が形成されている。この係合凹部２８内には、被押圧部５３の係合片５４Ａが収容されており、係合片５４Ａは係合凹部２８内に収容された状態で前後方向に移動可能とされている。
【００３１】
また、一対の被押圧部５３，５３は、第一ハウジング２０と第二ハウジング４０とを嵌合させる過程において、フード部４１の一対の押圧突起４３，４３によって前方から押圧され、閉止位置に配されたシャッタ５０（図２参照）を開放位置（図３参照）まで後方にスライドさせる事ができるようになっている。すなわち、従来の光コネクタによると、ハウジングにシャッタを回動可能に組み付ける回動機構やシャッタを付勢するばね部材が必要であり、部品点数が増加してシャッタの開閉構造が複雑化し、組立工数が増加することで光コネクタの生産コストが高くなってしてしまうところ、本実施形態によると、フード部４１の押圧突起４３によって被押圧部５３を押圧することで、シャッタ５０を開放位置にスライドさせることができるので、部品点数を少なくすると共に、シャッタ５０の開閉構造を簡素化することができる。これにより、光コネクタ１０の生産コストを低減させることができる。
【００３２】
また、更にそのまま両ハウジング２０，４０を嵌合させると、係合片５４Ａが係合凹部２８の後側内面２８Ａに当接してシャッタ５０の後方への移動が規制され、被押圧部５３が前後方向に広がるように弾性変形するようになっている。そして、図４に示すように、両被押圧部５３，５３の突出端５３Ａ，５３Ａ間の長さ寸法が第二ハウジング４０のフード部４１における間口の寸法（両押圧突起４３，４３の突出端間）Ｄ２よりも僅かに小さくなることで、被押圧部５３がフード部４１の押圧突起４３を乗り越えて弾性復帰し、図５に示すように、シャッタ５０が開放位置に配された状態で、被押圧部５３がフード部４１内に収容される。
【００３３】
弾性部５２は、被押圧部５３の前端縁に一体に形成されており、板厚方向に弾性変形可能とされている。また、弾性部５２は、シャッタ５０が閉止位置に配された状態では、シャッタ収容部２６の支持曲面２６Ｂに沿うように被押圧部５３の前端縁からハウジング本体２１の幅方向略中央部に向かって円弧状に延びた形態とされており、支持曲面２６Ｂによって内側から支持された状態となっている。また、弾性部５２の前端部は、シャッタ収容部２６の奥部に設けられた前側収容部２９に収容されている。つまり、一対のシャッタ５０におけるそれぞれの弾性部５２は、ハウジング本体２１における隔壁２４を挟んで、互いを付き合わせるように配された形態とされている。
【００３４】
そして、弾性部５２は、シャッタ５０が閉止位置から開放位置に至る過程では、僅かに支持曲面２６Ｂに沿うように後方にスライドし、その後、弾性部５２における被押圧部５３側の基端部が支持曲面２６Ｂによって押圧されてハウジング本体２１から離れる方向(板厚方向）に弾性変形し、弾性部５２がハウジング本体２１の両側壁２１Ａとほぼ平行状態となる。また、このとき、弾性部５２の前端部は、隔壁２４から幅方向にシャッタ収容部２６の前面２６Ａに沿ってほぼ真っ直ぐ移動する。すなわち、弾性部５２の前端部は、閉止位置と開放位置との間で前後方向にほとんど移動しないようになっており、第一ハウジング内における弾性部の前後方向（嵌合方向）の変位量を極力小さくしている。
【００３５】
（作用および効果）
本実施形態の光コネクタ１０は、以上のような構成であって、次に、第一ハウジング２０と第二ハウジング４０とが嵌合する際のシャッタ５０の動作について、簡単に説明すると共に、その作用および効果について説明する。
光コネクタ１０において、第一ハウジング２０と、第二ハウジング４０とが嵌合前の状態では、図１に示すように、第一ハウジング２０のシャッタ５０は、閉止位置に配されており、弾性部５２がシャッタ収容部２６の支持曲面２６Ｂによって内側から支持されると共に、弾性部５２の前端部をシャッタ収容部２６の前側収容部２９に収容されている。つまり、弾性部５２が支持曲面２６Ｂによって支持されることで、弾性部５２を正規の位置に配置することができることから、弾性部５２の前端部と隔壁２４との間を前後方向に完全に塞いだ状態で、シャッタ収容部２６内に開口したキャビティ２３を弾性部５２によって塞ぐことができる。すなわち、仮に弾性部が支持曲面などによって支持されない場合には、弾性部が正規の位置に配置されず、第一フェルールから出射される出射光が外部に漏れたり、弾性部と隔壁との隙間から塵埃がキャビティ内に浸入したりする可能性があるところ、本実施形態によると、外部に出射光が漏れたり、外部から塵埃がキャビティ２３内へ浸入することを抑制することができる。
【００３６】
第一ハウジング２０と第二ハウジング４０の準備ができたところで、図１に示すように、第一ハウジング２０と第二ハウジング４０とを向かい合わせに配置し、第二ハウジング４０のフード部４１内に第一ハウジング２０のハウジング本体２１を挿入して両ハウジング２０，４０を嵌合させる。この嵌合過程において、図２に示すように、シャッタ５０の被押圧部５３における前側被押圧片５４がフード部４１の押圧突起４３に当接し、被押圧部５３が押圧突起４３によって前方から押圧されることで、図３に示すように、シャッタ５０が開放位置に移動する。このとき、平板部５１がハウジング本体２１の側壁２１Ａに沿うように後方にスライドして、後側収容部２７内に収容される。また、弾性部５２はシャッタ収容部２６の支持曲面２６Ｂに沿って僅かに後方にスライドした後、弾性部５２の基端部がシャッタ収容部２６の支持曲面２６Ｂによって幅方向外側に押圧されることで、ハウジング本体２１の両側壁２１Ａとほぼ平行状態となるように弾性変形する。また、弾性部５２の前端部は、隔壁２４からハウジング本体２１の側壁２１Ａまでシャッタ収容部２６の前面２６Ａに沿って幅方向にほぼ真っ直ぐ移動する。
【００３７】
すなわち、シャッタ５０が閉止位置から開放位置に至る際に、平板部５１がハウジング本体２１の側壁２１Ａに沿うように前後方向（嵌合方向）にスライドして後側収容部２７に収容されることで、シャッタ５０が幅方向に大きくなることを抑制することができる。また、弾性部５２の前後方向の変位量を小さくすることで、シャッタ５０が幅方向に大きくなることを抑制することができる。これにより、シャッタがハウジング内に回動可能に組み付けられ、シャッタが前後方向に回動して開く従来の光コネクタに比べて、第一ハウジング２０が前後方向（嵌合方向）に大きくなることを防止することができる。
【００３８】
そのまま、更に両ハウジング２０，４０を嵌合させると、被押圧部５３の係合片５４が係合凹部２８の後側内面２８Ａに後方から係止されて、シャッタ５０の後方への移動が規制され、被押圧部５３が前後方向に広がるように弾性変形する。そして、図４に示すように、両被押圧部５３，５３の突出端５３Ａ，５３Ａ間の長さ寸法が第二ハウジング４０のフード部４１における間口の寸法Ｄ２よりも僅かに小さくなることで、被押圧部５３がフード部４１の押圧突起４３を乗り越えて弾性復帰する。
【００３９】
最後に、シャッタ５０が開放位置に配された状態で、被押圧部５３がフード部４１内に収容されることで、図５に示すように、両ハウジング２０，４０が正規嵌合状態に至り、第一フェルール２５と第二フェルール４４とが光学的に接続される。
【００４０】
以上のように、本実施形態の光コネクタ１０によると、シャッタ５０が閉止位置から開放位置に移動する際に、平板部５１がハウジング本体２１の側壁２１Ａに沿うように前後方向（嵌合方向）にスライドして後側収容部２７に収容されると共に、弾性部５２の前端部が隔壁２４から幅方向にシャッタ収容部２６の前面２６Ａに沿ってほぼ真っ直ぐ移動する。これにより、シャッタ５０が幅方向に大きくなることを抑制することができると共に、シャッタ５０の弾性部５２が前後方向（嵌合方向）に変位する変位量を小さくすることができる。すなわち、ハウジングに対してシャッタが回動可能に組み付けられる場合に比べて、第一ハウジング２０が前後方向（嵌合方向）に大きくなることを防止することができる。ひいては、光コネクタ１０を小型化することができる。
【００４１】
また、本実施形態によると、一対の弾性部５２，５２を、隔壁２４を挟んで互いを突き合わせるように配置しているので、前後方向に一対の弾性部がずれて配される場合に比べて、一対の弾性部５２，５２が配されるスペースを前後方向に最も小さくすることができる。これにより、光コネクタ１０を更に小型化することができる。
【００４２】
また、本実施形態によると、閉止位置において、シャッタ５０の弾性部５２をシャッタ収容部２６の支持曲面２６Ｂで支持すると共に、弾性部５２の前端部をシャッタ収容部２６の前側収容部２９内に収容することにより、弾性部５２を正規の位置に配置することができるので、弾性部５２が不正規な位置に配されることで、外部に出射光が漏れたり、塵埃がキャビティ２３内に浸入したりすることを抑制することができる。
【００４３】
また、本実施形態によると、フード部４１の押圧突起４３によって、シャッタ５０の被押圧部５３を押圧してシャッタ５０を閉止位置から開放位置に移動させることができるので、従来の光コネクタのように、ハウジングにシャッタを回動可能に組み付ける回動機構やシャッタを付勢するばね部材が必要なく、部品点数を低減させると共に、組立工数を格段に低減させることができる。これにより、光コネクタ１０を小型化することができると共に、光コネクタ１０の生産コストを低減させることができる。
【００４４】
＜他の実施形態＞
本発明は上記記述及び図面によって説明した実施形態に限定されるものではなく、例えば次のような実施形態も本発明の技術的範囲に含まれる。
（１）上記実施形態では、ハウジング本体２１内に２つのキャビティ２３を構成したが、本発明はこのような態様に限定されるものではなく、例えば、ハウジング本体内に１つや３つ以上のキャビティを構成してもよい。
（２）上記実施形態では、シャッタ５０を幅方向に弾性変形させる構成としたが、本発明はこのような態様に限定されるものではなく、例えば、シャッタを上下方向に弾性変形させる構成にしてもよい。
（３）上記実施形態では、三角形状の被押圧部５３を突出させた構成としたが、本発明はこのような態様に限定されるものではなく、例えば、板状や丸みを帯びた形状の被押圧部を突出させた構成としてもよい。
（４）上記実施形態では、隔壁２４の幅方向両側に前側収容部２９がそれぞれ形成された構成としたが、本発明はこのような態様に限定されるものではなく、例えば、隔壁を幅方向に貫通した前側収容部を形成しても良い。
（５）上記実施形態では、一対のシャッタ５０，５０を、隔壁２４を挟んで突き合わせる構成としたが、本発明はこのような態様に限定されるものではなく、例えば、一対のシャッタを直接突き合わせる構成としてよく、一対のシャッタの前端部を重ねる構成としても良い。
【符号の説明】
【００４５】
２０：第一ハウジング
２５：第一フェルール（光接続部材）
２６Ｂ：支持曲面
２７：後側収容部
２９：前側収容部
４０：第二ハウジング
４１：フード部
５０：シャッタ
５２：弾性部
５３：被押圧部
【図１】
2013250367.tif 000003
【図２】
2013250367.tif 000004
【図３】
2013250367.tif 000005
【図４】
2013250367.tif 000006
【図５】
2013250367.tif 000007